(57)【要約】【課題】不正行為を発見し易く、不正行為を確実に抑制する。【解決手段】本発明に係る回路基板収容構造６０は、基板ケース７０と、カバー板１１０とを備える。基板ケース７０は、基板支持部７５と、上板７６とを有し、遊技機に固定されて回路基板８０を収容する。基板支持部７５は、回路基板８０を支持する。上板７６は、透明又は半透明であり、貫通する複数の通気孔７８が形成され基板支持部７５に支持された回路基板８０の回路面を覆う。カバー板１１０は、透明又は半透明であり、回路基板８０と上板７６との間で回路基板８０及び上板７６の双方から離間した所定位置に配置され、回路基板８０の回路面の回路形成領域８１の全域及び上板７６の複数の通気孔７８の全てと対向し、回路基板８０に支持される。【選択図】図５
2008036296.tif 000002
【特許請求の範囲】
【請求項１】
回路基板を支持する基板支持部と、貫通する複数の通気孔が形成され前記基板支持部に支持された前記回路基板の上面を覆う透明又は半透明な上板と、を有し、遊技機に固定されて前記回路基板を収容する基板ケースと、
前記回路基板と前記上板との間で前記回路基板及び前記上板の双方から離間した所定位置に配置され、前記回路基板の上面の回路形成領域の全域又は前記上板の前記複数の通気孔の全ての少なくとも一方と対向し、前記回路基板又は前記基板ケースに支持される透明又は半透明なカバー部材と、を備えた
ことを特徴とする遊技機の回路基板収容構造。
【請求項２】
請求項１に記載の回路基板収容構造であって、
前記回路基板又は前記上板から延びて前記カバー部材を支持する支柱を備え、
前記支柱は、外力を受けたときにせん断応力が集中する易変形部を有する
ことを特徴とする遊技機の回路基板収容構造。
【請求項３】
請求項１に記載の回路基板収容構造であって、
前記回路基板から延びて、前記カバー部材を前記所定位置と前記回路基板の上面を開放する開放位置との間で回転移動自在に支持する支柱を備え、
前記上板は、前記回路基板の上面を覆う閉止位置と前記回路基板の上面を開放する開放位置とに移動可能であり、
前記所定位置から前記開放位置への前記カバー部材の移動は、前記閉止位置の前記上板によって阻止される
ことを特徴とする遊技機の回路基板収容構造。
【請求項４】
請求項３に記載の回路基板収容構造であって、
前記回路基板に対して前記支柱を固定する固定部材と、
前記支柱に対して前記カバー部材を回転自在に連結する連結部材と、を備え、
前記固定部材は、前記支柱が前記回路基板に対して固定される固定状態への移行を許容すると共に、前記固定状態を解除する固定解除状態への移行を完全に禁止し、
前記連結部材は、前記カバー部材が前記支柱に対して回転自在に連結される連結状態への移行を許容すると共に、前記連結状態を解除する連結解除状態への移行を完全に禁止する
ことを特徴とする遊技機の回路基板収容構造。
【請求項５】
請求項１〜請求項４の何れかに記載の回路基板収容構造であって、
前記カバー部材は、前記所定位置に配置された状態で、前記回路基板の前記上面の回路形成領域の全域又は前記上板の複数の通気孔の全ての少なくとも一方と対向するカバー板と、このカバー板の周縁から前記回路基板へ向かって延びる周壁と、を有する
ことを特徴とする遊技機の回路基板収容構造。
【発明の詳細な説明】
【技術分野】
【０００１】
本発明は、弾球遊技機や回胴式遊技機等の遊技機の回路基板収容構造に関する。
【背景技術】
【０００２】
従来より、パチンコ機やスロットマシン等の遊技機においては、制御基板に実装された電子回路部品によって、遊技の進行を電子的に制御する方式が採用されている。こうした遊技機においては、正規の電子回路部品を不正な電子回路部品に交換する不正改造によって、例えば大当たりが頻発するような不正な態様で遊技を進行させることが技術的に可能であり、この様な不正改造行為が後を絶たないという問題が発生している。
【０００３】
上記のような不正改造を防止する構造としては、電子回路部品や制御基板を基板ケースに収容するものがある（特許文献１）。この構造では、電子回路部品を不正な電子回路部品に交換する場合、基板ケースを破壊しなければならない。すなわち、不正行為が行われた場合に基板ケースに破壊された形跡が残るため、不正行為を発見し易くなり、その結果、不正行為を抑制する上で一定の効果は得られる。
【０００４】
【特許文献１】特開２００５−２９６２４６号公報
【発明の開示】
【発明が解決しようとする課題】
【０００５】
ところで、従来の回路基板収容構造では、制御基板が発する熱による基板ケース内部の温度の上昇を抑えるために基板ケースに通気孔が設けられている。このため、この通気孔から針金などの導電性の異物を挿入して電子回路部品に接触させることによって、制御基板において実行される処理を誤動作させるという不正行為が行われる可能性がある。この場合、不正行為が行われても基板ケースに破壊された形跡が残らないため、不正行為の発見が難しく、不正行為を確実に抑制することができない。
【０００６】
本発明は、上記課題を解決するためになされたものであり、その目的は、不正行為を発見し易く、不正行為を確実に抑制することができる回路基板収容構造を提供することにある。
【課題を解決するための手段】
【０００７】
上記目的を達成するため、本発明に係る回路基板収容構造は、基板ケースと、カバー部材とを備える。基板ケースは、基板支持部と、上板とを有し、遊技機に固定されて回路基板を収容する。基板支持部は、回路基板を支持する。上板は、透明又は半透明であり、貫通する複数の通気孔が形成され基板支持部に支持された回路基板の上面を覆う。カバー部材は、透明又は半透明であり、回路基板と上板との間で回路基板及び上板の双方から離間した所定位置に配置され、回路基板の上面の回路形成領域の全域又は上板の複数の通気孔の全ての少なくとも一方と対向し、回路基板又は基板ケースに支持される。
【０００８】
上記構成では、基板ケースは回路基板を収容している。このため、不正に回路基板を交換しようとした場合、基板ケースを破壊しなければならない。すなわち、不正に回路基板が交換された場合に基板ケースに破壊された形跡が残るため、不正行為を発見し易く、不正行為を抑制することができる。また、基板ケースの上板には、貫通する複数の通気孔が形成されている。このため、回路基板が発する熱による基板ケース内部の温度の上昇を抑えることができる。さらに、カバー部材は、回路基板の上面の回路形成領域の全域又は上板の複数の通気孔の全ての少なくとも一方と対向する。従って、針金などの導電性の異物を基板ケースの通気孔に挿入されてもカバー部材によって回路基板への異物の接触を阻止することができる。すなわち、基板ケースを破壊せずに回路基板において実行される処理を誤動作させるという不正行為を防ぐことができるため、不正行為を確実に抑制することができる。
【０００９】
また、回路基板又は上板から延びてカバー部材を支持する支柱を備えてもよい。支柱は、外力を受けたときにせん断応力が集中する易変形部を有する。
【００１０】
上記構成では、カバー部材を強引に外すと支柱の易変形部が破壊される。すなわち、不正行為が行われた場合に支柱の易変形部に破壊された形跡が残るため、不正行為を発見し易く、不正行為を確実に抑制することができる。
【００１１】
さらに、回路基板から延びて、カバー部材を所定位置と回路基板の上面を開放する開放位置との間で回転移動自在に支持する支柱を備えてもよい。上板は、回路基板の上面を覆う閉止位置と回路基板の上面を開放する開放位置とに移動可能であり、所定位置から開放位置へのカバー部材の移動は、閉止位置の上板によって阻止される。
【００１２】
上記構成では、所定位置から開放位置へのカバー部材の移動は、閉止位置の上板によって阻止される。すなわち、上板が閉止位置にある状態ではカバー部材は開放位置に移動できない。このため、基板ケースの上板が閉止位置にある状態では、カバー部材は上板の複数の通気孔の全てと必ず対向し、回路基板に針金などの導電性の異物を接触させる不正行為を確実に抑制することができる。
【００１３】
また、固定部材と、連結部材と、を備えてもよい。固定部材は、回路基板に対して支柱を固定し、支柱が回路基板に対して固定される固定状態への移行を許容すると共に、固定状態を解除する固定解除状態への移行を完全に禁止する。連結部材は、支柱に対してカバー部材を回転自在に連結し、カバー部材が支柱に対して回転自在に連結される連結状態への移行を許容すると共に、連結状態を解除する連結解除状態への移行を完全に禁止する。
【００１４】
上記構成では、固定部材によって回路基板に対して固定された支柱は、回路基板から外すことができない。また、連結部材によって支柱に対して連結されたカバー部材は、支柱から外すことができない。従って、不正を行う為に支柱やカバー部材を強引に移動させた場合、支柱またはカバー部材に破壊された形跡が残る。すなわち、不正行為が行われた場合に破壊された形跡によって不正行為を容易に発見することができるため、不正行為を確実に抑制することができる。
【００１５】
さらに、カバー部材は、カバー板と、周壁と、を有してもよい。カバー板は、所定位置に配置された状態で、回路基板の上面の回路形成領域の全域又は上板の複数の通気孔の全ての少なくとも一方と対向する。周壁は、カバー板の周縁から回路基板へ向かって延びる。
【００１６】
上記構成では、回路基板は、その上面の全域をカバー板によって覆われ、その側面をカバー板の周縁から回路基板へ向かって延びる周壁によって覆われている。従って、針金などの導電性の異物を基板ケースの通気孔に挿入されても、カバー板によって回路基板への上方向からの異物の接触を阻止することができ、周壁によって回路基板への横方向からの異物の接触を阻止することができる。すなわち、基板ケースを破壊せずに回路基板を誤作動させる不正行為をより確実に防ぐことができるため、不正行為を確実に抑制することができる。
【発明の効果】
【００１７】
本発明に係る回路基板収容構造によれば、不正行為を発見し易く、不正行為を確実に抑制することができる。
【発明を実施するための最良の形態】
【００１８】
以下、図面を参照して、遊技機設置営業店等の場所に設置され、遊技媒体（例えば、遊技球やメダル等）の供給に基づいて遊技者に遊技を行わせる遊技機（例えば、弾球遊技機や回胴式遊技機）及び遊技機用記憶媒体の構成及び動作について説明する。
【００１９】
なお、本実施形態は、本発明を弾球遊技機に適用したものであるが、本発明は、回胴式遊技機等のその他の遊技機にも適用できることは勿論である。
【００２０】
［遊技機の構造概略］
本実施形態の遊技機２は、外部的構造として、外枠（木枠）４、本体部材（本体）５、開口枠扉６、遊技盤、球受皿付き扉８、球受皿９、回動式操作ハンドル（球発射ハンドル）１０、球貸し関係操作部１１、及び球受皿９用の貯留球排出操作ボタン１２等をその前面側に備えている。また、この遊技機は、内部的構造として、主制御装置１３、副制御装置１４、遊技球払出装置１５、球貸信号制御装置１６、可動物制御装置１７、回収通路部材、貯留タンク１９、遊技球を払い出すときに用いる通路部材（賞球口）２０、及びその他、電源供給装置２１、発射制御装置２２、発射駆動装置２３等をその後面側に備えている。
【００２１】
以下、図１〜図９を参照して、本実施形態の遊技機２の構成を、外部的構造、内部的構造、及び電気的構成の順に詳しく説明する。
【００２２】
〔外部的構造〕
始めに、本実施形態の遊技機２の外部的構造について説明する。
【００２３】
前記外枠４は、遊技機設置営業店に設けられた設置場所（島設備等）へと固定させるための縦長方形状から成る木製の枠部材である。
【００２４】
前記本体部材５は、外枠４の内部に備えられ、ヒンジ部２６を介して外枠４に回動自在に装着された縦長方形状の遊技機基軸体となる部材である。また、本体部材５は、枠状に形成され、内側に空間部を有している。
【００２５】
前記開口枠扉６は、ロック機能２５付きで且つ開閉自在となるように遊技機２の前面側となる本体部材５の前面に対しヒンジ部２６を介して装着され、枠状に構成されることでその内側を開口部２７とした扉部材である。なお、この開口枠扉６には、開口部２７に対向してガラス製又は樹脂製の透明板部材２８が設けられ、さらに、開口部２７近傍には、電飾２９やスピーカ３０が取り付けられている。
【００２６】
前記遊技盤は、その盤面に遊技領域を有し、本体部材５の空間部に臨むように、所定の固定部材を用いて本体部材５に着脱自在に装着されている。なお、遊技領域は、遊技盤を本体部材５に装着した後、開口部２７から観察することができる。
【００２７】
前記球受皿付き扉８は、遊技機２の前面において本体部材５の下側に対して、ロック機能付きで且つ開閉自在となるように装着された扉部材である。なお、本実施形態では、球受皿付き扉８には以下の部材が取り付けられている。
（１）複数の遊技球が貯留可能で且つ、発射駆動装置２３へと遊技球を案内させる通路が設けられた球受皿９。
（２）発射駆動装置２３へと案内された遊技球を遊技盤の盤面に設けられた遊技領域へと打ち出す操作を行う、遊技球の発射停止ボタン１０ａを備えた回動式操作ハンドル１０。
（３）プリペイドカード読み込み処理関係、及び遊技者が借り受ける遊技球（以下、貸球と称す）の貸し出し処理関係の指示を行うボタンを備えた球貸し関係操作部１１。
（４）球受皿９に貯留させた遊技球を遊技者が遊技球収集容器（俗称、ドル箱）へと排出させるための球受皿９用の貯留球排出操作ボタン１２。
【００２８】
次に、回路基板収容構造６０について説明する。図４〜図８に示すように、回路基板収容構造６０は、基板ケース７０、回路基板８０、支柱９０、固定部材１００、カバー部材であるカバー板１１０、連結部材１２０により構成されている。
【００２９】
基板ケース７０は、透明又は半透明な樹脂製部材からなる下ケース７１と上ケース７２とから構成される。下ケース７１は、遊技機２の後面６８に固定された略矩形状を有する下板７３と、下板７３の周縁部から遊技機２の後方に向けて延設された側板７４と、下板７３の後面（遊技機２の後面６８と対向する面とは反対側の面）に設けられた複数の基板支持部７５とを有する。回路基板８０は、基板支持部７５の後方（突出方向先端）に配置され、複数の基板支持部７５によりビス止め等で固定されている。上ケース７２は、下板７３と同形状となる略矩形状を有する上板７６と上板７６の周縁部から遊技機２の前方に向けて延設された側板７７とを有する。上板７６には、回路基板８０が発する熱による基板ケース７０内部の温度の上昇を抑えるための複数の通気孔７８が形成されている。上ケース７２は、上ケース７２の側板７７により形成される開口と下ケース７１の側板７４により形成される開口とが対向するように下ケース７１の後方に配置され、下ケース７１の側板７４と側板７７とが当接する当接部に対し、ヒンジ部７９を介して開閉自在に装着される。上ケース７２の上板７６は、回路基板８０の回路面を覆う閉止位置と回路基板８０の回路面を開放する開放位置とに移動可能である。なお、上ケース７２は、下ケース７２の側板７４に側板７７を当接させることによって回路基板８０を略密閉状態に収容すると共に、上ケース７２を開閉不能にするロック部（封止部）６９を介して回路基板８０の回路面を覆う閉止位置に固定されている。
【００３０】
回路基板８０は、略板形状を有し、その回路面に主制御装置１３等で構成される回路形成領域８１を有する。また、回路基板８０には、回路形成領域８１よりも外側に複数の切欠き部８２及び複数の挿通孔８３が形成されている。
【００３１】
支柱９０は、略板形状を有し、易変形部９１と、フック部９２と、立設片９３と、挿通孔９４と、カバー板支持部９５とを有する。支柱９０の略前方（一方の先端側）の易変形部９１は、支柱９０が外力を受けたときにせん断応力が集中するようにくびれ形状を有する。支柱９０のフック部９２は、易変形部９１から前方（先端方向）に向かって延設され、回路基板８０に設けられフック部９２の全長より小径な挿通孔８３に撓み変形しながら挿入され、且つ回路基板８０の前面側から固定部材１００の係合部１０１に係合される。なお、挿通孔８３に挿入されたフック部９２は、基板ケース７０内に収容され、外部からの接触が不可能となる。立設片９３は、支柱９０の一方の先端側の易変形部９１を挟む位置に突設され、回路基板８０の切欠き部８２に嵌合される。この状態において支柱９０は、カバー板１１０の外形状（角部）に合わせた回路基板８０上の計４ヶ所に固定される。すなわち、支柱９０を挿通孔８３への挿入方向とは逆方向に移動させようとしても、支柱９０のフック部９２が固定部材１００の係合部１０１に係合されているため、支柱９０は移動不可能となる。また、立設片９３が切欠き部８２に嵌合することによって支柱９０の回転が不可能となる。挿通孔９４は、支柱９０の略後方（他方の先端側）に形成され、後述する連結部材１２０のフック部１２１が挿通される。連結部材１２０の保持部が設けられる支柱９０の後端部の内側部には、カバー板支持部９５が突設され、このカバー板支持部９５には、後述する閉止位置（所定位置）にあるカバー板１１０が載置されて支持される。
【００３２】
カバー板１１０は、透明又は半透明な樹脂製部材で構成され、略矩形板形状を有する。また、カバー板１１０は、一片端側に凹凸部（切欠き）１１１を有し、他片端側の左右側面に連結部材挿通孔１１２を形成し、２つの板部材から構成される。カバー板１１０の連結部材挿通孔１１２には、連結部材１２０が挿通され、カバー板１１０は軸支状態となる。２つのカバー板１１０は、互いの凹凸部１１１が係合し合うように当接した状態で連結し、回路基板８０と上板７６との間で回路基板８０及び上板７６の双方から離間した所定位置（閉止位置）に配置される。なお、２つのカバー板１１０が連結した状態とは、凹凸部１１１同士の係合により、閉止位置に配置された２つのカバー板１１０の一方のみの開移動が阻止され、２つのカバー板１１０が同時に開移動した場合に限り開放される状態をいう。
【００３３】
連結部材１２０は、略円柱形状を有し、両端に対称的なフック部１２１を有する。なお、図８は、連結部材１２０の一端側のフック部１２１を示している。連結部材１２０のフック部１２１は、支柱９０の略後方に設けたフック部１２１の全長よりも小径な入口とフック部１２１の全長より大きい内部空間を有する挿通孔９４に撓み変形しながら挿入され、支柱９０に係合される。この状態において、それぞれのカバー板１１０は、離間して配置された２つの支柱９０の間に配置され、連結部材１２０によって回転自在に連結される。また、連結部材１２０を挿通孔９４への挿入方向とは逆方向に移動させようとしても、連結部材１２０のフック部１２１が支柱９０に係合されているため、連結部材１２０は移動不可能となる。それぞれのカバー板１１０は、対称的に並列して配置され、回路基板８０の回路面を覆いカバー板支持部９５によって支持される閉止位置と回路基板８０の回路面を開放する開放位置とに移動可能である。カバー板１１０は、閉止位置では、回路基板８０の回路面の回路形成領域８１の全域及び上板７６の複数の通気孔７８の全てと対向する。なお、上板７６が閉止位置にある状態では、カバー板１１０の閉止位置から開放位置への移動は上板７６によって阻止される。
【００３４】
〔内部的構造〕
次に、本実施形態の遊技機２の内部的構造について説明する。
【００３５】
前記主制御装置１３は、本発明に係る制御手段として機能し、本体部材５若しくは遊技盤又はこれらに備え付けられる支持部材等を介して設けられている。この主制御装置１３は、電気的な遊技制御の処理を行い、主要な処理情報を生成する。
【００３６】
前記副制御装置１４は、本体部材５若しくは遊技盤又はこれらに備え付けられる支持部材等を介して設けられ、主制御装置１３が生成した処理情報に従って、所定の出力態様処理を実行させる制御を行う装置である。なお、詳しくは後述するが、副制御装置１４は、図柄制御装置１４ａ、ランプ制御装置１４ｂ、音声制御装置１４ｃ、及び払出制御装置５２を有する。
【００３７】
前記遊技球払出装置１５は、予め定められた入賞条件が成立するのに応じて遊技利益として所定数の遊技球を払い出す（以下、賞球と称す）駆動源を備えた装置である。
【００３８】
前記球貸信号制御装置１６は、プリペイドカード読み込み処理関係、及び貸球の貸し出し処理関係の制御を行う装置である。
【００３９】
前記可動物制御装置１７は、主制御装置１３が生成した処理情報に従って、遊技領域内に配設された複数の可動物を作動状態にするための装置であり、複数の可動物に対応して個別に設けられている。なお、本実施形態の可動物制御装置１７は、可動片駆動装置、可動扉駆動装置、入賞領域振分駆動装置、及び演出用移動物駆動装置を有する。
【００４０】
前記回収通路部材は、回動式操作ハンドル１０によって遊技盤の盤面に設けられた遊技領域へと打ち出された遊技球を遊技盤の裏側へと回収する通路（俗称、集合樋）となる部材である。
【００４１】
前記遊技球を払い出す時に用いる通路部材２０は、球受皿９に賞球又は貸球を案内する通路となる部材である。
【００４２】
前記電源供給装置２１は、電源が投入されるのに応じて遊技機２内の各制御装置に対して電力を供給する装置である。
【００４３】
前記発射制御装置２２は、回動式操作ハンドル１０を介して遊技球を遊技領域へと打ち出す操作が行われた時に、発射作動間隔（例えば、１分間に遊技球を１００球発射させるようにする等）の制御と、回動式操作ハンドル１０の回動量に応じた遊技球の発射強度の調整を行う装置である。
【００４４】
前記発射駆動装置２３は、発射制御装置２２による打ち出し制御に応じて、遊技球の打ち出し駆動部を作動させ、遊技球を遊技領域へと打ち出す装置である。
【００４５】
〔電気的構成〕
次に、本実施形態の遊技機２の電気的構成について説明する。
【００４６】
本実施形態となる遊技機２は、電気的構成として、ＣＲユニット１、主制御装置１３、副制御装置１４、球貸信号制御装置１６、可動物制御装置１７、電源供給装置２１、発射制御装置２２、発射駆動装置２３、検知センサ４７、集中管理装置４８等を備える。
【００４７】
前記主制御装置１３は、ＣＰＵ（Central Processing Unit：中央命令処理部）１３ａ、予め定められた制御プログラム（コンピュータプログラム）を格納するＲＯＭ（Read Only Memory：書換不可記憶部）１３ｂ、生成された処理情報の一時記憶及び記憶した情報の削除を行うＲＡＭ（Random Access Memory：書換可能記憶部）１３ｃ、周期的な信号を発生させる周波数発生回路部１３ｄ等により構成され、遊技機２内における主要な情報処理を行うと共に、副制御装置１４に入力する処理情報を生成する装置である。
【００４８】
前記副制御装置１４は、図柄制御装置１４ａ、ランプ制御装置１４ｂ、音声制御装置１４ｃ、及び払出制御装置５２により構成され、主制御装置１３が生成した処理情報に従って所定の出力態様処理を行う。なお、副制御装置１４は、出力態様処理毎の装置として構成しても、各出力態様処理を複数組み合わせて構成してもよい。また、副制御装置１４を構成する各制御装置は、処理情報に従って独立して処理を実行可能なように、内部にＣＰＵ、ＲＯＭ、ＲＡＭを備える。
【００４９】
ここで、前記図柄制御装置１４ａは、主制御装置１３が生成した処理情報に従って、ビデオ・ディスプレイ・プロセッサ（ＶＤＰ）５０を介して可変表示装置３４、又はＬＥＤ表示装置３５を制御することにより、識別点灯情報又は識別表示情報を変動表示させた後に停止表示する制御を行う装置である。
【００５０】
前記ランプ制御装置１４ｂは、主制御装置１３が生成した処理情報に従って、開口枠扉６の電飾２９（演出報知ランプ、払出ランプ、トラブルランプを含む）や遊技領域内に設けられた演出用表示ランプ（電飾）４３、又は特定保留数表示ランプ４１、通過保留数表示ランプ４２等を点灯制御する装置である。なお、特定保留数表示ランプ４１又は通過保留数表示ランプ４２が表す情報は可変表示装置３４による識別表示情報として報知してもよい。
【００５１】
前記音声制御装置１４ｃは、主制御装置１３が生成した処理情報に従ってスピーカ３０やサウンドプロセッサ等の音声発生装置５１を制御して音声を発生させる装置である。
【００５２】
前記払出制御装置５２は、主制御装置１３が生成した処理情報に従って、遊技球払出装置１５により所定数の賞球を払い出す制御を行う装置である。また、前記払出制御装置５２は、主制御装置１３が生成した処理情報に従って、球貸信号制御装置１６を介して、ＣＲユニット１に読み込ませたプリペイドカードに格納したデータ情報を参照して、所定数の貸球を払い出す制御を行うと共に、貸球の払い出し個数を計数して管理をする装置である。
【００５３】
前記検知センサ４７は、特定入賞球検知センサ４７ａ、特別入賞球検知センサ４７ｂ、入賞特定領域検知センサ４７ｃ、通過球検知センサ４７ｄ、その他入賞球検知センサ４７ｅ、遊技球払出検知センサ４７ｆ、及びエラー検知センサ４７ｇにより構成される。
【００５４】
このように、本実施形態によれば、基板ケース７０は回路基板８０を収容している。このため、不正に回路基板８０を交換しようとした場合、基板ケース７０を破壊しなければならない。すなわち、不正に回路基板８０が交換された場合に基板ケース７０に破壊された形跡が残るため、不正行為を発見し易く、不正行為を抑制することができる。また、基板ケース７０の上板７６には、貫通する複数の通気孔７８が形成されている。このため、回路基板８０が発する熱による基板ケース７０内部の温度の上昇を抑えることができる。さらに、カバー板１１０は、回路基板８０の後面の回路形成領域８１の全域及び上板７６の複数の通気孔７８の全てと対向する。従って、針金などの導電性の異物を基板ケース７０の通気孔７８に挿入されてもカバー板１１０によって回路基板８０への異物の接触を阻止することができる。すなわち、基板ケース７０を破壊せずに回路基板８０において実行される処理を誤動作させるという不正行為を防ぐことができるため、不正行為を確実に抑制することができる。
【００５５】
また、カバー板１１０を強引に外すと支柱９０の易変形部９１が破壊される。すなわち、不正行為が行われた場合に支柱９０の易変形部９１に破壊された形跡が残るため、不正行為を発見し易く、不正行為を確実に抑制することができる。
【００５６】
さらに、閉止位置から開放位置へのカバー板１１０の移動は、閉止位置の上板７６によって阻止される。すなわち、上板７６が閉止位置にある状態ではカバー部材は開放位置に移動できない。このため、基板ケース７０の上板７６が閉止位置にある状態では、カバー板１１０は上板７６の複数の通気孔７８の全てと必ず対向し、回路基板８０に針金などの導電性の異物を接触させる不正行為を確実に抑制することができる。
【００５７】
また、固定部材１００によって回路基板８０に対して固定された支柱９０は、支柱９０のフック部９２が固定部材１００の係合部１０１に係合するため、回路基板８０から外すことができない。また、連結部材１２０によって支柱９０に対して連結されたカバー板１１０は、連結部材１２０のフック部１２１が支柱９０に係合するため、支柱９０から外すことができない。従って、不正を行う為に支柱９０やカバー板１１０を強引に移動させた場合、支柱９０またはカバー板１１０に破壊された形跡が残る。すなわち、不正行為が行われた場合に破壊された形跡によって不正行為を容易に発見することができるため、不正行為を確実に抑制することができる。
【００５８】
なお、本実施形態では、カバー板１１０と回路基板８０との間は開放されていたが、図１０に示すように、カバー板１１０の周縁から回路基板８０へ向かって延びる周壁１１３を設けてもよい。また、周壁１１３には、複数の通気孔１１４が形成されている。
【００５９】
上記構成では、回路基板８０の回路形成領域８１（図５参照）は、その回路面の全域をカバー板１１０によって覆われ、その側面をカバー板１１０の周縁から回路基板８０へ向かって延びる周壁１１３によって覆われている。従って、針金などの導電性の異物を基板ケース７０の通気孔７８に挿入されても、後方向から基板ケース７０内部に進入した異物の回路基板８０への接触をカバー板１１０によって阻止することができ、基板ケース７０への進入方向と直交する横方向からの異物の回路基板８０への接触を周壁１１３によって阻止することができる。すなわち、基板ケース７０を破壊せずに回路基板８０を誤作動させる不正行為をより確実に防ぐことができるため、不正行為を確実に抑制することができる。
【００６０】
また、本実施形態では、カバー板１１０は閉止位置と開放位置とに移動可能であったが、図１１に示すように、２つのカバー板１１０の凸凹部１１１の係合の解除が不能となるように連結する環状の封印タグ１３０等を２つのカバー板１１０にわたって設け、封印タグ１３０を破壊しない限りカバー板１１０を開放位置に移動できないようにしてもよい。
【００６１】
さらに、本実施形態では、カバー板１１０を支柱９０を介して回路基板８０側に設けていたが、基板ケース７０側に設けた支柱９０に対して設けてもよい。その場合、カバー板１１０は開放する必要がないため、カバー板１１０は１つの板部材で構成することができる。
【００６２】
また、本実施形態では、基板ケース７０が収容する回路基板８０として主制御装置１３を示したが、これに限定されることなく、他の回路基板についても適用可能である。
【００６３】
以上、本発明者によってなされた発明を適用した実施形態について説明したが、この実施形態による本発明の開示の一部をなす論述及び図面により本発明は限定されることはない。すなわち、この実施形態に基づいて当業者等によりなされる他の実施形態、実施例及び運用技術等は全て本発明の範疇に含まれることは勿論であることを付け加えておく。
【図面の簡単な説明】
【００６４】
【図１】本発明の実施形態となる遊技機の外観斜視図である。
【図２】図１に示す遊技機の背面斜視図である。
【図３】図１に示す遊技機の背面図である。
【図４】回路基板収容構造の外観斜視図ある。
【図５】図４のI−I矢視断面図である。
【図６】図４の上板及びカバー板を開放位置に移動した状態におけるI−I矢視断面図である。
【図７】図４のII−II矢視断面図である。
【図８】図４のIII−III矢視断面図である。
【図９】図１に示す遊技機の電気的構成を示すブロック図である。
【図１０】他の実施形態を示す回路基板収容構造の外観斜視図ある。
【図１１】他の実施形態を示す回路基板収容構造の外観斜視図ある。
【符号の説明】
【００６５】
２…遊技機、６０…回路基板収容構造、６８…後面、６９…ロック部、７０…基板ケース、７１…下ケース、７２…上ケース、７３…下板、７４…側板、７５…基板支持部、７６…上板、７７…側板、７８…通気孔、７９…ヒンジ部、８０…回路基板、８１…回路形成領域、８２…切欠き部、８３…挿通孔、９０…支柱、９１…易変形部、９２…フック部、９３…立設片、９４…挿通孔、９５…カバー板支持部、１００…固定部材、１０１…係合部、１１０…カバー板（カバー部材）、１１１…凸凹部、１１２…連結部材挿通孔、１１３…周壁、１１４…通気孔、１２０…連結部材、１２１…フック部、１３０…封印タグ
【図１】
2008036296.tif 000003
【図２】
2008036296.tif 000004
【図３】
2008036296.tif 000005
【図４】
2008036296.tif 000006
【図５】
2008036296.tif 000007
【図６】
2008036296.tif 000008
【図７】
2008036296.tif 000009
【図８】
2008036296.tif 000010
【図９】
2008036296.tif 000011
【図１０】
2008036296.tif 000012
【図１１】
2008036296.tif 000013